(57)【要約】【課題】プレーヤが構えたときにどのゴルフクラブであっても違和感のない統一感のあるゴルフクラブセット及びそれに用いるゴルフクラブを提供すること。【解決手段】３番ウッドのロフト角が一番小さく、７番ウッドのロフト角が一番大きい。この場合、シャフトの軸心２０とクラウン部中央部分におけるトップエッジ１３との距離Ｄはどの番手でも略同じになっている。すなわち、Ｄ1≒Ｄ2≒Ｄ3の関係になっている。このとき、プレーヤがヘッドを上方視すると、どの番手においても略同じ湾曲線で視認することができる。すなわち、上方視においては、ｒ1（＃３）≒ｒ2（＃５）≒ｒ3（＃７）の関係になる。したがって、プレーヤはゴルフクラブを構えてヘッドを上方視したときに番手の相違による違和感を受けなくなる。【選択図】  図７
2006181212.tif 000002
【特許請求の範囲】
【請求項１】
上面にクラウン部を有するヘッド本体及び前記ヘッド本体の有効打点領域を含むフェース部を備えたヘッドと、前記ヘッドに対して所定のライ角で装着されたシャフトと、を具備し、それぞれロフト角が異なる複数のゴルフクラブを含むゴルフクラブセットであって、前記それぞれのゴルフクラブは、ロフト角が大きくなるにしたがって、前記フェース部側を正面視した際の前記クラウン部と前記フェース部との間のトップエッジの曲率半径が大きくなるように設定されていることを特徴とするゴルフクラブセット。
【請求項２】
前記ロフト角が大きくになるにしたがって、前記フェース部に形成したバルジが小さくなるように設定されていることを特徴とする請求項１記載のゴルフクラブセット。
【請求項３】
上面にクラウン部を有するヘッド本体及び前記ヘッド本体の有効打点領域を含むフェース部を備えたヘッドと、前記ヘッドに対して所定のライ角で装着されたシャフトと、を具備し、それぞれロフト角が異なる複数のゴルフクラブを含むゴルフクラブセットであって、前記それぞれのゴルフクラブは、ロフト角が大きくなるにしたがって、前記フェース部に形成したバルジが小さくなるように設定されていることを特徴とするゴルフクラブセット。
【請求項４】
前記ロフト角が大きくなるにしたがって、前記ヘッドの容積が小さくなるように設定されていることを特徴とする請求項３記載のゴルフクラブセット。
【請求項５】
請求項１から請求項４のいずれかに記載のゴルフクラブセットに用いられることを特徴とするゴルフクラブ。
【発明の詳細な説明】
【技術分野】
【０００１】
本発明はゴルフクラブセット及びそれに用いるゴルフクラブに関し、特に統一した形態を有するウッド型のゴルフクラブのセットに関する。
【背景技術】
【０００２】
ウッド型のゴルフクラブにおいては、ヘッド本体に取り付けられているフェース部とヘッド本体の上面のクラウン部との境界であるトップエッジが形成される。従来のゴルフクラブにおいて、このトップエッジは、フェース部のフェース面の有効打点領域の確保及びヘッドの低重心化のために、湾曲線で形成されている（特許文献１，２参照）。この湾曲線の曲率半径は、ゴルフクラブのロフト角が変わったとしても、例えば、３番ウッドであっても７番ウッドであってもほぼ同じである。
【０００３】
また、ウッド型のゴルフクラブにおいては、フェース面のトウ部（シャフトから遠い側）からヒール部（シャフトに近い側）にわたる水平方向に膨出するバルジを有する。このバルジを有することにより、ゴルフクラブで打球したときに過度のサイドスピンが球にかかることを防止している。
【０００４】
【特許文献１】特開平１１−１５１３２４号公報
【特許文献２】特開平９−２０１４３１号公報
【発明の開示】
【発明が解決しようとする課題】
【０００５】
しかしながら、上記のようにトップエッジの曲率半径が、ロフト角が変わったとしても同じであると、プレーヤがゴルフクラブを持ってアドレスしたときに、ゴルフクラブの番手により、トップエッジの見え方が異なる。すなわち、ロフト角が相対的に小さいウッド型のゴルフクラブの場合、プレーヤがアドレスして上からヘッドを見るとバルジによる膨出形状が強く視認されることになる。これに対して、ロフト角が相対的に大きいウッド型のゴルフクラブの場合、プレーヤがアドレスして上からヘッドを見るとトップエッジの湾曲線が強く視認されることになる。バルジの膨出方向とトップエッジの湾曲方向とは反対の方向であるので、ロフト角の違いにより、プレーヤはゴルフクラブを構えたときに異なるトップエッジ形状を視認することになり違和感を受ける。
【０００６】
本発明はかかる点に鑑みてなされたものであり、プレーヤが構えたときにどのゴルフクラブであっても違和感のない統一感のあるゴルフクラブセット及びそれに用いるゴルフクラブを提供することを目的とする。
【課題を解決するための手段】
【０００７】
本発明のゴルフクラブセットは、上面にクラウン部を有するヘッド本体及び前記ヘッド本体の有効打点領域を含むフェース部を備えたヘッドと、前記ヘッドに対して所定のライ角で装着されたシャフトと、を具備し、それぞれロフト角が異なる複数のゴルフクラブを含むゴルフクラブセットであって、前記それぞれのゴルフクラブは、ロフト角が大きくなるにしたがって、前記フェース部側を正面視した際の前記クラウン部と前記フェース部との間のトップエッジの曲率半径が大きくなるように設定されていることを特徴とする。
【０００８】
この構成によれば、トップエッジが強く視認される番手でもトップエッジの湾曲線をバルジの湾曲線に近づけることができるので、プレーヤはゴルフクラブを構えてヘッドを上方視したときに番手の相違による違和感を受けなくなる。
【０００９】
本発明のゴルフクラブセットにおいては、前記ロフト角が大きくになるにしたがって、前記フェース部に形成したバルジが小さくなるように設定されていることが好ましい。
【００１０】
この構成によれば、フェース面の輪郭形状及びバルジ形状で、視覚的な形状変化を防止するので、ヘッドにおける大きな形状変化がなく、ヘッドの重量バランスなどの大きな変化を防止することができる。
【００１１】
本発明のゴルフクラブセットは、上面にクラウン部を有するヘッド本体及び前記ヘッド本体の有効打点領域を含むフェース部を備えたヘッドと、前記ヘッドに対して所定のライ角で装着されたシャフトと、を具備し、それぞれロフト角が異なる複数のゴルフクラブを含むゴルフクラブセットであって、前記それぞれのゴルフクラブは、ロフト角が大きくなるにしたがって、前記フェース部に形成したバルジが小さくなるように設定されていることを特徴とする。
【００１２】
この構成によれば、トップエッジが強く視認される番手でもトップエッジの湾曲線をバルジの湾曲線に近づけることができるので、プレーヤはゴルフクラブを構えてヘッドを上方視したときに番手の相違による違和感を受けなくなる。
【００１３】
本発明のゴルフクラブセットにおいては、前記ロフト角が大きくなるにしたがって、前記ヘッドの容積が小さくなるように設定されていることが好ましい。
【００１４】
この構成によれば、ヘッドの慣性モーメントが小さくなり、ヘッドが回転し易くなる。すなわち、バルジの曲率半径が小さくなると、ギヤ効果は相対的に弱くなるが、ヘッドの容量を小さくすることによりヘッドが回転し易くなり、ギヤ効果が弱くなることを防止できる。その結果、ギヤ効果が強くなり、番手が大きくなるほど振り抜き易いヘッドとなり、方向性の良いセットを実現することができる。
【００１５】
本発明のゴルフクラブは、上記ゴルフクラブセットに用いられることを特徴とする。
【発明の効果】
【００１６】
本発明においては、ロフト角が大きくなるにしたがって、フェース部側を正面視した際のトップエッジの曲率半径を大きくする、及び／又は、フェース部に形成したバルジが小さくなるように設定することにより、プレーヤが構えたときにどの番手のゴルフクラブであっても違和感のない統一感のあるゴルフクラブセットを実現することができる。
【発明を実施するための最良の形態】
【００１７】
以下、本発明の実施の形態について添付図面を参照して詳細に説明する。
図１は、本発明の一実施の形態に係るゴルフクラブの一部を説明するための図である。また、図２は、図１におけるII−II線に沿う断面図である。また、図３は、図１におけるIII−III線に沿う断面図である。なお、本実施の形態においては、右利き用のゴルフクラブについて説明するが、本発明は左利き用のゴルフクラブについても同様に適用することができる。また、本実施の形態において、「正面視」とは、ウッドのフェース面の略法線方向から見た場合を意味し、「上方視」とは、設定のライ角及びロフト角を規定する水平面１６にヘッドのソールを接地した状態でヘッドを上方から見た場合を意味する。
【００１８】
図１に示すゴルフクラブ１は、それぞれロフト角が異なる複数のゴルフクラブからなる本発明に係るゴルフクラブセットのうちの１本のゴルフクラブであり、他のゴルフクラブとの間でトップエッジに関して統一感のある形態を有している。ゴルフクラブ１は、ヘッド１１と、このヘッド１１に取り付けられたシャフト１２とから主に構成されている。
【００１９】
ヘッド１１は、ヘッド１１を接地したときに、上面に位置するクラウン部１１ａと、接地する面を有するソール部１１ｂと、シャフト１２から遠い側に位置するトウ部１１ｃと、シャフト１２に近い側に位置するヒール部１１ｄと、ヒール部１１ｄに連接して設けられ、シャフト１２を取り付けるシャフト取り付け部１１ｅとを有するヘッド本体を含む。また、ヘッド本体には、フェース面を構成する位置にフェース部１１ｆを有しており、このフェース部１１ｆは、スイートスポット１１ｇを含む有効打点領域を有する。
【００２０】
フェース部１１ｆとヘッド本体との境界部分において、クラウン部１１ａに近い部分（図中の上側の境界部分）はトップエッジ１３と呼ばれ、スイートスポット１１ｇ付近の上部の有効打点領域を確保し、低重心化を図るために所定の曲率半径を有する湾曲線で構成されている。すなわち、トップエッジ１３においては、トウ部１１ｃ側及びヒール部１１ｄ側では相対的に下に位置し、中央部分で相対的に上に位置するような湾曲線を構成する。フェース部１１ｆとヘッド本体との境界部分において、ソール部１１ｂに近い部分（図中の下側の境界部分）はリーディングエッジ１４と呼ばれる。また、フェース部１１ｆのフェース面には、互いに平行な複数のスコアライン１５が形成されている。
【００２１】
このヘッド１１のソール部１１ｂの略中心を地面に接地したときに、水平面１６とシャフト１２の軸方向１７とのなす角がライ角Ａである。したがって、シャフト取り付け部１１ｅの軸方向もライ角Ａに設定されており、シャフト取り付け部１１ｅにシャフト１２を取り付けることにより、ゴルフクラブ１のライ角がＡ度に設定されることになる。
【００２２】
ヘッド１１のヘッド本体は、金属、繊維強化樹脂、又は金属と繊維強化樹脂の複合体などで構成されており、フェース部１１ｆは、金属などで構成されている。また、シャフト１２は、金属又は繊維強化樹脂で構成されている。なお、本実施の形態においては、フェース部１１ｆとソール部１１ｂなどとが同じ部材で一体に形成されている場合について説明しているが、フェース部１１ｆとソール部１１ｂなどとが別部材として構成されていても良い。ここで、フェース部とは、ヘッド本体に開口を形成し、別体のフェース部材を接合したもの、ヘッド本体とソール又はクラウンなどとを一体に鋳造してなるものなどを含む。したがって、ヘッドにおけるフェースの形態としては、フェースがクラウン及びサイドと一体でソールが別体の形態、フェースがサイド及びソールと一体でクラウンと別体の形態、開口されたフェース有効打点領域に、別体のフェース部材を接合した形態などが挙げられる。
【００２３】
クラウン部１１ａは、図２に示すように、フェース部１１ｆ側と反対の方向に膨出する形状を有している。フェース部１１ｆのフェース面と鉛直面（リーディングエッジ１４を通り、水平面１６と垂直な方向の面）１８に対するフェース部１１ｆのフェース面とのなす角がロフト角Ｂである。ゴルフクラブセットにおいては、このロフト角Ｂが番手により異なっている。また、フェース部１１ｆのフェース面には、トップエッジ１３からリーディングエッジ１４にわたり所定の曲率半径のロールが形成されている。また、トップエッジ１３とは、クラウン部１１ａとフェース面とが連接する領域において、その境界部分が明確でない場合には、クラウン部１１ａの持つ湾曲面のフェース面側の端部とフェース面の持つ湾曲面のクラウン部１１ａ側の端部との間の略中央部を指す。
【００２４】
また、図３に示すように、フェース面には、トウ部１１ｃからヒール部１１ｄにわたり膨出する所定の曲率半径のバルジが形成されている。このバルジを設けることにより、ゴルフクラブで打球したときに、いわゆるギヤ効果により過度のサイドスピンが球にかかることを防止することができる。なお、図３において、参照符号１９はシャフト１２を挿入する挿入穴を示す。
【００２５】
図４は、本発明の一実施の形態に係るゴルフクラブのヘッドを上方視したときの平面図である。本実施の形態のゴルフクラブセットにおいては、シャフト１２の軸心２０とクラウン部１１ａ中央部分におけるトップエッジ１３との距離Ｄを番手が変わっても同じする。これにより、プレーヤが構えたときにどの番手のゴルフクラブであっても違和感のない統一感のあるゴルフクラブセットを実現することができる。なお、ロフト角Ｂを０°とした際に上方視すると、バルジによりトップエッジ１３も外側に湾曲した線として視認される。
【００２６】
図５（ａ）〜（ｃ）は、ウッド型のゴルフクラブにおいて番手が変わることによるロフト角の変化を示す図である。図５（ａ）は３番ウッドのヘッドを示す図であり、図５（ｂ）は５番ウッドのヘッドを示す図であり、図５（ｃ）は７番ウッドのヘッドを示す図である。図５から分かるように、３番ウッドのロフト角が一番小さく、７番ウッドのロフト角が一番大きい。すなわち、Ｂ1（＃３）＜Ｂ2（＃５）＜Ｂ3（＃７）の関係がある。これに対応して、トップエッジ１３からリーディングエッジ１４までの水平方向の距離Ｌは、ロフト角Ｂが大きくなるにしたがって長くなっている。すなわち、Ｌ1（＃３）＜Ｌ2（＃５）＜Ｌ3（＃７）の関係がある。
【００２７】
このようにプレーヤが構えてヘッドを上方視したときにどの番手のゴルフクラブであっても、シャフト１２の軸心２０とクラウン部１１ａ中央部分におけるトップエッジ１３との距離Ｄが変わらないようにするためには、ロフト角が大きくなるにしたがって、フェース部１１ｆ側を正面視した際のトップエッジ１３の曲率半径を大きくするように設定する。このようにロフト角Ｂが大きくなるにしたがって、トップエッジ１３の曲率半径を大きくすると、トップエッジ１３が強く視認される番手でもトップエッジ１３の湾曲線をバルジの湾曲線に近づけることができるので、プレーヤはゴルフクラブを構えてヘッドを上方視したときに番手の相違による違和感を受けなくなる。なお、番手に応じてどの程度トップエッジ１３の曲率半径を大きくするかについては、バルジや重心の高さなどを考慮して適宜設定することができる。
【００２８】
図６は、本発明の一実施の形態に係るゴルフクラブセットのゴルフクラブを示す正面図であり、（ａ）は３番ウッドのヘッドを示す図であり、（ｂ）は５番ウッドのヘッドを示す図であり、（ｃ）は７番ウッドのヘッドを示す図である。また、図７は、本発明の一実施の形態に係るゴルフクラブセットのゴルフクラブを示す平面図であり、（ａ）は３番ウッドのヘッドを示す図であり、（ｂ）は５番ウッドのヘッドを示す図であり、（ｃ）は７番ウッドのヘッドを示す図である。
【００２９】
図６から分かるように、３番ウッドのライ角が一番小さく、７番ウッドのライ角が一番大きい。すなわち、Ａ1（＃３）＜Ａ2（＃５）＜Ａ3（＃７）の関係がある。また、トップエッジ１３の曲率半径Ｒは、ライ角Ａが大きくなるにしたがって大きくなっている。すなわち、Ｒ1（＃３）＜Ｒ2（＃５）＜Ｒ3（＃７）の関係がある。また、図７から分かるように、３番ウッドのロフト角が一番小さく、７番ウッドのロフト角が一番大きい。したがって、図５より、Ｌ1（＃３）＜Ｌ2（＃５）＜Ｌ3（＃７）の関係になっている。この場合、シャフトの軸心２０とクラウン部中央部分におけるトップエッジ１３との距離Ｄはどの番手でも略同じになっている。すなわち、Ｄ1≒Ｄ2≒Ｄ3の関係になっている。このとき、プレーヤがヘッドを上方視すると、フェース面を正面視したときにトップエッジ１３の曲率半径がＲ1（＃３）＜Ｒ2（＃５）＜Ｒ3（＃７）の関係を有しているが、どの番手においても略同じ湾曲線で視認することができる。すなわち、上方視においては、ｒ1（＃３）≒ｒ2（＃５）≒ｒ3（＃７）の関係になる。したがって、プレーヤはゴルフクラブを構えてヘッドを上方視したときに番手の相違による違和感を受けなくなる。
【００３０】
上記の場合においては、ロフト角が大きくになるにしたがって、フェース部に形成したバルジが小さくなるように設定することが好ましい。このように設定することにより、フェース面の輪郭形状及びバルジ形状で、視覚的な形状変化を防止するので、ヘッドにおける大きな形状変化がなく、ヘッドの重量バランスなどの大きな変化を防止することができる。
【００３１】
また、プレーヤが構えてヘッドを上方視したときにどの番手のゴルフクラブであっても、シャフト１２の軸心２０とクラウン部１１ａ中央部分におけるトップエッジ１３との距離Ｄが変わらないようにするためには、ロフト角が大きくなるにしたがって、フェース部１１ｆに形成したバルジが小さくなるように設定する。このようにロフト角Ｂが大きくなるにしたがって、フェース部１１ｆのバルジを小さくすると、トップエッジ１３が強く視認される番手でもトップエッジ１３の湾曲線をバルジの湾曲線に近づけることができるので、プレーヤはゴルフクラブを構えてヘッドを上方視したときに番手の相違による違和感を受けなくなる。なお、番手に応じてどの程度バルジを小さくするかについては、慣性モーメントや重心の深さなどを考慮して適宜設定することができる。
【００３２】
図８は、本発明の一実施の形態に係るゴルフクラブセットのゴルフクラブを示すロフト角０°での平面図であり、（ａ）は３番ウッドのヘッドを示す図であり、（ｂ）は５番ウッドのヘッドを示す図であり、（ｃ）は７番ウッドのヘッドを示す図である。
【００３３】
図８から分かるように、３番ウッドのバルジの曲率半径が一番大きく、７番ウッドのバルジの曲率半径が一番小さい。すなわち、Ｑ1（＃３）＞Ｑ2（＃５）＞Ｑ3（＃７）の関係がある。また、トップエッジ１３の曲率半径Ｒは、ロフト角に拘わりなく同じである。すなわち、Ｒ1（＃３）≒Ｒ2（＃５）≒Ｒ3（＃７）の関係がある。さらに、図７から分かるように、３番ウッドのロフト角が一番小さく、７番ウッドのロフト角が一番大きいので、図５より、Ｌ1（＃３）＜Ｌ2（＃５）＜Ｌ3（＃７）の関係になっている。この場合、シャフトの軸心２０とクラウン部中央部分におけるトップエッジ１３との距離Ｄはどの番手でも略同じになっている。すなわち、Ｄ1≒Ｄ2≒Ｄ3の関係になっている。このとき、プレーヤがヘッドを上方視すると、どの番手においても略同じ湾曲線で視認することができる。すなわち、上方視においては、ｒ1（＃３）≒ｒ2（＃５）≒ｒ3（＃７）の関係になる。したがって、プレーヤはゴルフクラブを構えてヘッドを上方視したときに番手の相違による違和感を受けなくなる。
【００３４】
上記の場合においては、ロフト角が大きくなるにしたがって、ヘッドの容積が小さくなるように設定することが好ましい。このように設定することにより、ヘッドの慣性モーメントが小さくなり、ヘッドが回転し易くなる。すなわち、バルジの曲率半径が小さくなると、ギヤ効果は相対的に弱くなるが、ヘッドの容量を小さくすることによりヘッドが回転し易くなり、ギヤ効果が弱くなることを防止できる。その結果、ギヤ効果が強くなり、番手が大きくなるほど振り抜き易いヘッドとなり、方向性の良いセットを実現することができる。また、ヘッドの大きさに対する視覚的変化が小さくなる。
【００３５】
また、本発明のゴルフクラブセットにおいて、ロフト角が大きくなるにしたがって、フェース部１１ｆ側を正面視した際のトップエッジ１３の曲率半径を大きくすると共に、フェース部１１ｆに形成したバルジが小さくなるように設定しても良い。この場合においても、プレーヤが構えたときにどの番手のゴルフクラブであっても違和感のない統一感のあるゴルフクラブセットを実現することができる。
【００３６】
次に、本発明の効果を明確にするために行った実施例について説明する。
（実施例１）
バルジの曲率半径が同じであり、ロフト角が大きくなるにつれてフェース部側を正面視した際のトップエッジの曲率半径を大きくするように設定した４本のゴルフクラブを含むゴルフクラブセットを製造した。すなわち、このゴルフクラブセットは、ライ角：５８°、ロフト角：１５°、ヘッド容量１７０ｍｍ3、バルジ２６０ｍｍ、正面視のトップエッジ３００ｍｍの３番ウッドと、ライ角：５８．５°、ロフト角：１８°、ヘッド容量１５０ｍｍ3、バルジ２６０ｍｍ、正面視のトップエッジ３２０ｍｍの５番ウッドと、ライ角：５９°、ロフト角：２１°、ヘッド容量１３５ｍｍ3、バルジ２６０ｍｍ、正面視のトップエッジ３４０ｍｍの７番ウッドと、ライ角：６０°、ロフト角：２４°、ヘッド容量１２０ｍｍ3、バルジ２６０ｍｍ、正面視のトップエッジ３６０ｍｍの９番ウッドとを含む。
【００３７】
これらのゴルフクラブについて、構えたときの上方視におけるトップエッジを測定したところ、すべて２８０ｍｍであり、どの番手であっても違和感のない統一感のあることが確認された。なお、ライ角及びロフト角は、クラブヘッドを任意の向きに設定可能なティルティングテーブルなどに取り付け、ハイゲージなどを用いて測定し、バルジは、スイートスポット１１ｇを通るトウ−ヒール方向に対してＲゲージにより測定し、正面視及び上方視トップエッジは、投影機などにより測定した。
【表１】
2006181212.tif 000003
【００３８】
（実施例２）
正面視トップエッジが同じであり、ロフト角が大きくなるにつれてバルジを小さくするように設定した４本のゴルフクラブを含むゴルフクラブセットを製造した。すなわち、このゴルフクラブセットは、ライ角：５８°、ロフト角：１５°、ヘッド容量１７０ｍｍ3、バルジ３００ｍｍ、正面視のトップエッジ３００ｍｍの３番ウッドと、ライ角：５８．５°、ロフト角：１８°、ヘッド容量１５０ｍｍ3、バルジ２８０ｍｍ、正面視のトップエッジ３００ｍｍの５番ウッドと、ライ角：５９°、ロフト角：２１°、ヘッド容量１３５ｍｍ3、バルジ２６０ｍｍ、正面視のトップエッジ３００ｍｍの７番ウッドと、ライ角：６０°、ロフト角：２４°、ヘッド容量１２０ｍｍ3、バルジ２４０ｍｍ、正面視のトップエッジ３００ｍｍの９番ウッドとを含む。
【００３９】
これらのゴルフクラブについて、構えたときの上方視におけるトップエッジを測定したところ、すべて３２０ｍｍであり、どの番手であっても違和感のない統一感のあることが確認された。なお、ライ角、ロフト角、バルジ、正面視及び上方視トップエッジは、実施例１と同様にして測定した。
【表２】
2006181212.tif 000004
【００４０】
（実施例３）
ロフト角が大きくなるにつれて正面視トップエッジを大きくし、バルジを小さくするように設定した４本のゴルフクラブを含むゴルフクラブセットを製造した。すなわち、このゴルフクラブセットは、ライ角：５８°、ロフト角：１５°、ヘッド容量１７０ｍｍ3、バルジ３００ｍｍ、正面視のトップエッジ３００ｍｍの３番ウッドと、ライ角：５８．５°、ロフト角：１８°、ヘッド容量１５０ｍｍ3、バルジ２９０ｍｍ、正面視のトップエッジ３１０ｍｍの５番ウッドと、ライ角：５９°、ロフト角：２１°、ヘッド容量１３５ｍｍ3、バルジ２８０ｍｍ、正面視のトップエッジ３２０ｍｍの７番ウッドと、ライ角：６０°、ロフト角：２４°、ヘッド容量１２０ｍｍ3、バルジ２７０ｍｍ、正面視のトップエッジ３３０ｍｍの９番ウッドとを含む。
【００４１】
これらのゴルフクラブについて、構えたときの上方視におけるトップエッジを測定したところ、すべて３００ｍｍであり、どの番手であっても違和感のない統一感のあることが確認された。なお、ライ角、ロフト角、バルジ、正面視及び上方視トップエッジは、実施例１と同様にして測定した。
【表３】
2006181212.tif 000005
【００４２】
本発明は上記実施の形態に限定されず、種々変更して実施することが可能である。例えば、本実施の形態においては、ゴルフクラブセットのゴルフクラブとして３番ウッド、５番ウッド、７番ウッドを用いて説明しているが、本発明はこれらの番手以外の番手のウッドにも適用することができる。その他、本発明の目的の範囲を逸脱しない限りにおいて適宜変更することが可能である。
【図面の簡単な説明】
【００４３】
【図１】本発明の一実施の形態に係るゴルフクラブの一部を説明するための図である。
【図２】図１におけるII−II線に沿う断面図である。
【図３】図１におけるIII−III線に沿う断面図である。
【図４】本発明に係るゴルフクラブのヘッドを上方視したときの平面図である。
【図５】ウッド型のゴルフクラブにおいて番手が変わることによるロフト角の変化を示す図であり、（ａ）は３番ウッドのヘッドを示す図であり、（ｂ）は５番ウッドのヘッドを示す図であり、（ｃ）は７番ウッドのヘッドを示す図である。
【図６】本発明の一実施の形態に係るゴルフクラブセットのゴルフクラブを示す正面図であり、（ａ）は３番ウッドのヘッドを示す図であり、（ｂ）は５番ウッドのヘッドを示す図であり、（ｃ）は７番ウッドのヘッドを示す図である。
【図７】本発明の一実施の形態に係るゴルフクラブセットのゴルフクラブを示す平面図であり、（ａ）は３番ウッドのヘッドを示す図であり、（ｂ）は５番ウッドのヘッドを示す図であり、（ｃ）は７番ウッドのヘッドを示す図である。
【図８】本発明の一実施の形態に係るゴルフクラブセットのゴルフクラブを示すロフト角０°での平面図であり、（ａ）は３番ウッドのヘッドを示す図であり、（ｂ）は５番ウッドのヘッドを示す図であり、（ｃ）は７番ウッドのヘッドを示す図である。
【符号の説明】
【００４４】
１  ゴルフクラブ
１１  ヘッド
１１ａ  クラウン部
１１ｂ  ソール部
１１ｃ  トウ部
１１ｄ  ヒール部
１１ｅ  シャフト取り付け部
１１ｆ  フェース部
１１ｇ  スイートスポット
１２  シャフト
１３  トップエッジ
１４  リーディングエッジ
１５  スコアライン
１６  水平面
１７  軸方向
１８  鉛直面
１９  挿入穴
２０  軸心
【図１】
2006181212.tif 000006
【図２】
2006181212.tif 000007
【図３】
2006181212.tif 000008
【図４】
2006181212.tif 000009
【図５】
2006181212.tif 000010
【図６】
2006181212.tif 000011
【図７】
2006181212.tif 000012
【図８】
2006181212.tif 000013